(57)【要約】【課題】ユーザが読み出したいファイルを即時に読み出すこと。【解決手段】同一階層のフォルダ及びジョブファイルを表示する表示部４１を有する表示装置において、フォルダ及びジョブファイルを表示部４１に表示する際、フォルダが所定の個数以下の場合、フォルダとファイルとを区分け無く表示し、フォルダが所定の個数を越える場合、フォルダを所定の領域にページ単位で表示するフォルダ表示領域２２とファイルを表示するファイル表示領域２３とに区分けして表示し、当該フォルダ表示領域２２内をページめくり表示する制御部５４を備える。【選択図】図１
2009169454.tif 000002
【特許請求の範囲】
【請求項１】
同一階層のフォルダ及びファイルを表示する表示部を有する表示装置において、
前記フォルダ及び前記ファイルを前記表示部に表示する際、前記フォルダが所定の個数以下の場合、前記フォルダと前記ファイルとを区分け無く表示し、前記フォルダが所定の個数を越える場合、前記フォルダを所定の領域にページ単位で表示するフォルダ表示領域と前記ファイルを表示するファイル表示領域とに区分けして表示し、当該フォルダ表示領域内をページめくり表示する制御部を備える表示装置。
【請求項２】
前記フォルダ表示領域は、
前記フォルダの下層に存在するファイルの中からユーザの所望するファイルを選択するための表示領域であり、
前記ファイル表示領域は、
前記ファイルの中からユーザの所望するファイルを選択するための表示領域である請求項１に記載の表示装置。
【請求項３】
前記制御部は、
前記フォルダを作成された時系列に並べて前記フォルダ表示領域に表示し、前記ファイルを作成された時系列に並べて前記ファイル表示領域に表示する請求項１又は２に記載の表示装置。
【請求項４】
情報の操作を受け付ける操作部を備え、
前記制御部は、
前記操作部により前記フォルダ表示領域に表示するフォルダの個数の設定操作が受け付けられた場合、当該受け付けられた個数の前記フォルダを前記フォルダ表示領域に表示する請求項１から３のいずれか一項に記載の表示装置。
【請求項５】
請求項４に記載の表示装置を備えた画像形成装置。
【請求項６】
前記ファイルは、
ジョブファイルであり、
前記操作部は、
前記フォルダ表示領域に表示されたフォルダの下層に存在する前記ジョブファイルの中からユーザの所望する前記ジョブファイルの選択操作を受け付け、又は前記ファイル表示領域に表示された前記ジョブファイルの中からユーザの所望する前記ジョブファイルの選択操作を受け付け、
前記制御部は、
前記操作部により受け付けられた前記ジョブファイルを読み出し、当該読み出されたジョブファイルに基づいて、ジョブを実行する請求項５に記載の画像形成装置。  
【請求項７】
同一階層のフォルダ及びファイルを表示する表示部を有する表示装置の表示方法において、
前記フォルダ及び前記ファイルを前記表示部に表示する際、前記フォルダが所定の個数以下の場合、前記フォルダと前記ファイルとを区分け無く表示し、前記フォルダが所定の個数を越える場合、前記フォルダを所定の領域にページ単位で表示するフォルダ表示領域と前記ファイルを表示するファイル表示領域とに区分けして表示し、当該フォルダ表示領域内をページめくり表示する制御工程を含む表示方法。
【発明の詳細な説明】
【技術分野】
【０００１】
本発明は、表示装置、画像形成装置及び表示方法に関する
【背景技術】
【０００２】
従来より、同一階層に存在するファイル及びフォルダを表示する技術が知られている。
【０００３】
図５〜図７を参照して、同一階層に存在するファイル及びフォルダを表示する表示画面について説明する。図５に表示画面５０を示す。表示画面５０は、画像形成装置おいて、ジョブファイルを読み出すための初期画面の一例である。表示画面５０は、読み出しボタン５０Ａを有する。読み出しボタン５０Ａは、後述する表示画面６１を表示させるためのボタンである。ユーザにより、読み出しボタン５０Ａが押下されると、図６に示す表示画面６１が表示される。
【０００４】
表示画面６１は、同一階層に存在するファイル及びフォルダを混在して表示する画面である。表示画面６１は、表示領域６２と、ＯＫボタン６３と、ボタン６４と、を有する。表示領域６２は、ジョブファイル及びフォルダを表示する。ＯＫボタン６３は、ユーザにより選択されたジョブファイルの読み出しを開始するためのボタンである。ボタン６４は、表示領域６２の次ページを表示するためのボタンである。
【０００５】
表示画面６１に示すように、ジョブファイル及びフォルダを混在させて表示することにより、ユーザが即、取り出したい（読み出したい）ジョブファイルをフォルダ内に格納せずに表示させることができる。例えば、表示画面６１において、ユーザが即読み出したいジョブファイルが図６中のＡに示す「００１２ＪＯＢ＿ＧＵＩ＿ｍｏｄｅｌ．ｄ」であるとする。この場合、ジョブファイル「００１２ＪＯＢ＿ＧＵＩ＿ｍｏｄｅｌ．ｄ」は、フォルダ内に格納されずに表示画面６１に表示される。これにより、ユーザは、ジョブファイル「００１２ＪＯＢ＿ＧＵＩ＿ｍｏｄｅｌ．ｄ」を選択し、ＯＫボタン６３を押下することにより、ジョブファイル「００１２ＪＯＢ＿ＧＵＩ＿ｍｏｄｅｌ．ｄ」を即読み出すことができる。
【０００６】
また、階層構造をなして保存される画像データの読み出し／保存に対する操作手順を簡略化することのできる画像形成装置も知られている（例えば、特許文献１参照）。
【特許文献１】特開２００６−２１３４７号公報
【発明の開示】
【発明が解決しようとする課題】
【０００７】
しかしながら、上記の技術では、表示するフォルダ数が多数ある場合、ユーザが読み出したいファイルを即時に読み出すことができなかった。
【０００８】
図７に、表示するフォルダ数が多数ある場合の表示画面７１を示す。表示画面７１は、表示領域７２と、ＯＫボタン７３と、ボタン７４と、を有する。表示領域７２、ＯＫボタン７３、ボタン７４は、それぞれ表示領域６２、ＯＫボタン６３、ボタン６４と同様の構成である。ここで、表示領域７２は、フォルダを表示するフォルダ表示領域７２Ａと、ファイルを表示するファイル表示領域７２Ｂと、を有する。
図７に示すように、表示領域７２は、フォルダが多数表示されているため、フォルダ表示領域７２Ａが多くの領域を占めている。このため、ファイル表示領域７２Ｂには、ジョブファイルが４つしか表示されない。この場合、表示領域７２に表示できない４つ目以降のジョブファイルは、次ページの表示領域７２に表示される。
ここで、例えば、ユーザが読み出したいファイルが次ページの表示領域７２にあるとする。この場合、ユーザは、ボタン７４を押下して、次ページを表示させる操作が必要となる。このため、表示するフォルダ数が多数の場合、ユーザが読み出したいファイルを即時に読み出すことができなかった。
【０００９】
本発明の課題は、ユーザが読み出したいファイルを即時に読み出すことである。
【課題を解決するための手段】
【００１０】
上記課題を解決するため、請求項１に記載の発明の表示装置は、
同一階層のフォルダ及びファイルを表示する表示部を有する表示装置において、
前記フォルダ及び前記ファイルを前記表示部に表示する際、前記フォルダが所定の個数以下の場合、前記フォルダと前記ファイルとを区分け無く表示し、前記フォルダが所定の個数を越える場合、前記フォルダを所定の領域にページ単位で表示するフォルダ表示領域と前記ファイルを表示するファイル表示領域とに区分けして表示し、当該フォルダ表示領域内をページめくり表示する制御部を備える。
【００１１】
請求項２に記載の発明は、請求項１に記載の表示装置において、
前記フォルダ表示領域は、
前記フォルダの下層に存在するファイルの中からユーザの所望するファイルを選択するための表示領域であり、
前記ファイル表示領域は、
前記ファイルの中からユーザの所望するファイルを選択するための表示領域である。
【００１２】
請求項３に記載の発明は、請求項１又は２に記載の表示装置において、
前記制御部は、
前記フォルダを作成された時系列に並べて前記フォルダ表示領域に表示し、前記ファイルを作成された時系列に並べて前記ファイル表示領域に表示する。
【００１３】
請求項４に記載の発明は、請求項１から３のいずれか一項に記載の表示装置において、
情報の操作を受け付ける操作部を備え、
前記制御部は、
前記操作部により前記フォルダ表示領域に表示するフォルダの個数の設定操作が受け付けられた場合、当該受け付けられた個数の前記フォルダを前記フォルダ表示領域に表示する。
【００１４】
請求項５に記載の発明の画像形成装置は、  
請求項４に記載の表示装置を備える。
【００１５】
請求項６に記載の発明は、請求項５に記載の画像形成装置において、  
前記ファイルは、
ジョブファイルであり、
前記操作部は、
前記フォルダ表示領域に表示されたフォルダの下層に存在する前記ジョブファイルの中からユーザの所望する前記ジョブファイルの選択操作を受け付け、又は前記ファイル表示領域に表示された前記ジョブファイルの中からユーザの所望する前記ジョブファイルの選択操作を受け付け、
前記制御部は、
前記操作部により受け付けられた前記ジョブファイルを読み出し、当該読み出されたジョブファイルに基づいて、ジョブを実行する。  
【００１６】
請求項７に記載の発明の表示方法は、
同一階層のフォルダ及びファイルを表示する表示部を有する表示装置の表示方法において、
前記フォルダ及び前記ファイルを前記表示部に表示する際、前記フォルダが所定の個数以下の場合、前記フォルダと前記ファイルとを区分け無く表示し、前記フォルダが所定の個数を越える場合、前記フォルダを所定の領域にページ単位で表示するフォルダ表示領域と前記ファイルを表示するファイル表示領域とに区分けして表示し、当該フォルダ表示領域内をページめくり表示する制御工程を含む。  
【発明の効果】
【００１７】
請求項１及び７記載の発明によれば、ファイル及びフォルダを表示部に表示する際、フォルダが所定の個数を超える場合、フォルダを所定の領域にページ単位で表示するフォルダ表示領域とファイルを表示するファイル表示領域とに区分けして表示し、当該フォルダ表示領域内をページめくり表示する。これにより、所定の個数を超えるフォルダは表示部に表示されないので、表示部のファイル表示領域を確保できる。すなわち、ユーザが読み出したいファイルをファイル表示領域に表示させることができるので、ユーザは、読み出したいファイルを即時に読み出すことができる。
【００１８】
請求項２記載の発明によれば、ユーザは、フォルダ表示領域を参照して、フォルダを選択し、当該選択されたフォルダの下層に存在するファイルを参照して、所望のファイルを選択することができる。また、ユーザは、ファイル表示領域を参照して、所望のファイルを選択することができる。
【００１９】
請求項３記載の発明によれば、フォルダを作成された日時順に並べてフォルダ表示領域に表示し、ファイルを作成された日時順に並べてファイル表示領域に表示することができる。
【００２０】
請求項４記載の発明によれば、フォルダ表示領域に表示するフォルダの個数の設定操作が受け付けられた場合、当該受け付けられた個数のフォルダをフォルダ表示領域に表示する。これにより、ユーザは、フォルダの表示領域に表示するフォルダの個数を所望の個数に設定することができる。
【００２１】
請求項５記載の発明によれば、請求項４に記載の表示装置を備えた画像形成装置を提供することができる。
【００２２】
請求項６に記載の発明によれば、制御部は、操作部により受け付けられたジョブファイルを読み出してジョブを実行する。これにより、ユーザの所望するジョブファイルを即時に読み出し、当該読み出されたジョブファイルに基づいて、ジョブを実行することができる。
【発明を実施するための最良の形態】
【００２３】
以下、添付図面を参照して本発明に係る実施の形態を説明する。ただし、発明の範囲は図示例に限定されない。
【００２４】
図１〜図４を参照して、本発明に係る実施の形態を説明する。図１に、本実施の形態に係る表示装置としての画像形成装置１０の構成例を示す。図１に示す画像形成装置１０は、スキャナ部１と、プリント部２と、ＦＮＳ（フィニッシャ）３と、操作部４と、本体制御部５と、を備えて構成される。
【００２５】
スキャナ部１は、例えば、原稿に対し光を照射し、反射される光をＣＣＤ（Charged  Coupled  Device）やＣＭＯＳ（Complementary  Metal-Oxide  Semiconductor）等の光電
変換装置で捉える。そして、捉えたアナログの電気信号から図示しないＡ／Ｄ変換器によりデジタル信号（画像信号）に変換し、読取処理部５１に出力することにより、原稿の読み取りを行う。
【００２６】
プリント部２は、例えば、電子写真プロセス等により各種の画像形成を行う公知の画像形成機構から構成されるものである。なお、プリント部２はこれに限定されるものではなく、インク吐出方式や感熱方式等の種々の画像形成機構を適用することができる。
また、画像形成装置１０には、例えば、プリント部２により画像形成された用紙にステイプルや中綴じ等の後処理を施すＦＮＳ部３が設けられる。
【００２７】
操作部４は、例えば、表示部４１、赤外線式や静電式のタッチパネル（図示省略）や各種の操作キー（図示省略）を備えて構成され、ユーザにより操作されることにより各種の操作信号を制御部５４に出力する。
【００２８】
表示部４１は、ＬＣＤ（Liquid Crystal Display）等により構成され、制御部５４から入力される表示信号の指示に従って表示画面上に各種操作ボタンや装置の状態表示、各機能の動作状況等の表示を行う。また、表示部４１は、例えば、タッチパネル等より構成される操作部４と一体に構成されており、ユーザは、表示部４１に表示された操作画面の各種ボタンを押下することで入力指示を行うようになっている。また、表示部４１には、後述する表示画面２１及び表示画面３１が表示される。
【００２９】
本体制御部５は、例えば、図１に示すように、読取処理部５１と、書込処理部５２と、プリントコントローラ５３と、制御部５４と、記憶部５５と、を備えて構成される。
【００３０】
読取処理部５１は、例えば、スキャナ部１から入力される画像信号にシェーディング処理等の各種処理を施し、制御部５４に出力する。
【００３１】
書込処理部５２は、例えば、入力される画像データに基づいて、画像形成のためのプリントデータを生成し、プリント部２に出力する。
【００３２】
プリントコントローラ５３は、例えば、ＬＡＮＩＦ（Local  Area  Network  Interface）等を備えて構成されている。画像形成装置１０は、当該プリントコントローラ５３を介して、ネットワーク（図示省略）上のＰＣ（Personal Computer）等の外部装置と通信可能に接続され、外部装置から送信されるプリントジョブを受け付ける。
【００３３】
制御部５４は、例えば、ＣＰＵ（Central  Processing  Unit）、ＲＡＭ（Random  Access  Memory）、ＲＯＭ（Read  Only  Memory）等を備えて構成され、画像形成装置１０の各部を中央制御する。制御部５４は、ＲＯＭに記憶されているシステムプログラム及び各種アプリケーションプログラムの中から指定されたプログラムをＲＡＭに展開し、ＲＡＭに展開されたプログラムとＣＰＵとの協働で、各種処理を実行する。
【００３４】
制御部５４は、表示プログラムにより、フォルダ及びファイルを表示部４１に表示する際、フォルダが所定の個数以下の場合、フォルダとファイルとを区分け無く表示し、フォルダが所定の個数を越える場合、フォルダを所定の領域にページ単位で表示するフォルダ表示領域２２とファイルを表示するファイル表示領域２３とに区分けして表示し、当該フォルダ表示領域２３内をページめくり表示する。
フォルダが所定の個数を超える場合とは、ユーザにより設定されたフォルダ表示領域２２に表示するフォルダの個数（フォルダ設定個数）と、記憶部５５に記憶されているフォルダの個数とを比較し、記憶部５５に記憶されているフォルダの個数がフォルダ設定個数よりも多かったと判別された場合のことをいう。また、フォルダが所定の個数以下の場合とは、記憶部５５に記憶されているフォルダの個数がフォルダ設定個数以下と判別された場合のことをいう。
また、ページめくり表示とは、フォルダ表示領域２２に現在表示されているページの次ページを表示させることをいう。ページには、フォルダ表示領域２２に表示される所定個数のフォルダが表示される。例えば、フォルダ表示領域２２に表示されるフォルダの所定個数が８個であった場合、当該８個のフォルダがページ毎に表示される。
フォルダ表示領域２２及びファイル表示領域２３については、後述する。
【００３５】
記憶部５５は、ＨＤＤ（Hard Disk Drive）等により構成され、各種プログラム及び各
種データを記憶する。具体的には、記憶部５５には、生成されたフォルダ及びジョブファイルが記憶される。フォルダ及びジョブファイルの生成は、ＲＯＭに格納されているフォルダ・ファイル生成プログラムに基づいて行われる。具体的には、フォルダ・ファイル生成プログラムに基づいて、スキャナ部１を介して読み取られた画像データ又はプリントコントローラ５３を介して受信されたプリントジョブに含まれる画像データからフォルダ又はジョブファイルが生成される。そして、生成されたフォルダ又はジョブファイルが記憶部５５に記憶される。
【００３６】
次いで、図２を参照して、表示部４１に表示される表示画面２１の一例について説明する。表示画面２１は、フォルダを表示するフォルダ表示領域２２をページめくり表示する画面である。表示画面２１は、フォルダ表示領域２２と、ファイル表示領域２３と、ＯＫボタン２４と、を有する。
【００３７】
フォルダ表示領域２２は、ページ単位で所定個数のフォルダを表示する領域である。具体的には、フォルダ表示領域２２は、図２に示す表示画面２１の場合、「００１２  ＪＯＢ＿ＧＵＩ＿ｍｏｄｅｌ．ｄ」〜「００２６  ＪＯＢ＿ＧＵＩ＿ｍｏｄｅｌ．ｄ」で示される１５個のフォルダをページ単位で表示する。
【００３８】
また、フォルダ表示領域２２は、各フォルダボタン「００１２  ＪＯＢ＿ＧＵＩ＿ｍｏｄｅｌ．ｄ」〜「００２６  ＪＯＢ＿ＧＵＩ＿ｍｏｄｅｌ．ｄ」を有する。各フォルダボタンは、フォルダを選択するためのボタンである。
【００３９】
また、フォルダ表示領域２２は、フォルダの下層に存在するジョブファイルの中からユーザの所望するジョブファイルを選択するための表示領域に該当する。
例えば、フォルダ表示領域２２に表示されているフォルダの中からユーザの所望するフォルダの選択操作が操作部４を介して受け付けられたとする。具体的には、フォルダ表示領域２２に表示されているフォルダの中からユーザの所望するフォルダに対応するフォルダボタン「００１２  ＪＯＢ＿ＧＵＩ＿ｍｏｄｅｌ．ｄ」（図２中のＢに示すフォルダボタン）が操作部４を介して押下されたとする。この場合、当該フォルダ「００１２  ＪＯＢ＿ＧＵＩ＿ｍｏｄｅｌ．ｄ」の下層に存在するジョブファイルが表示部４１に表示される。そして、表示されたジョブファイルの中からユーザの所望する１つのジョブファイル（ユーザが読み出したいと所望するジョブファイル）の選択操作が操作部４を介して受け付けられる。そして、選択されたジョブファイルが記憶部５５から読み出され、当該読み出されたジョブファイルに基づいて、ジョブが実行される。すなわち、ユーザは、フォルダ表示領域２２を参照し、フォルダの下層に存在するジョブファイルの中から所望するジョブファイルを選択することができる。
【００４０】
また、フォルダ表示領域２２は、ユーザにより設定された個数のフォルダが表示される。このとき、ユーザにより設定された個数に基づいて、フォルダ表示領域２２の領域が決定する。ここで、各フォルダボタンの高さは、ユーザが各フォルダボタンを押下しやすい高さ（約１０ｍｍ）に設定されている。したがって、ユーザにより設定されたフォルダの個数に基づいて、フォルダ表示領域２２の領域が決定する。例えば、ユーザによりフォルダの個数が１５個に設定された場合、フォルダ表示領域２２は表示画面２１に示す領域となる。
【００４１】
また、フォルダ表示領域２２に表示されるフォルダの中には、例えば、ユーザが特別に整理しておきたいジョブファイルが格納される。これにより、ユーザが特別に整理しておきたいジョブファイルを格納したフォルダ（すなわち、フォルダ表示領域２２に表示されるフォルダ）と、その他の関連性のないジョブファイル（すなわち、ファイル表示領域２３に表示されるジョブファイル）とを１画面に表示することができる。
【００４２】
また、フォルダ表示領域２２は、ＵＰボタン２２Ａと、ＤＯＷＮボタン２２Ｂと、を有する。ＵＰボタン２２Ａ、及びＤＯＷＮボタン２２Ｂは、フォルダ表示領域２２をページめくり表示するためのボタンである。例えば、ＵＰボタン２２Ａ又はＤＯＷＮボタン２２Ｂがユーザにより操作部４を介して押下されると、次ページの１５個のフォルダ（すなわち、現在表示されていたフォルダと異なる１５個のフォルダ）が表示される。具体的には、図２に示すフォルダ「００１２  ＪＯＢ＿ＧＵＩ＿ｍｏｄｅｌ．ｄ」〜フォルダ「００２６  ＪＯＢ＿ＧＵＩ＿ｍｏｄｅｌ．ｄ」以外の記憶部５５に記憶されているフォルダがページ単位で表示される。
【００４３】
ファイル表示領域２３は、ファイルを表示する領域である。ファイル表示領域２３は、各ファイルボタン「００１２  ＪＯＢ＿ＧＵＩ＿ｍｏｄｅｌ．ｄ」〜ファイルボタン「００３３  ＪＯＢ＿ＧＵＩ＿Ｇ」を有する。ファイルは、ジョブ（例えば、スキャンジョブ、プリントジョブ等）を実行するためのジョブファイルである。また、ジョブファイルは、ジョブを実行するための設定情報を含む。設定情報とは、例えば、用紙のサイズ情報、用紙のパンチ穴の情報のことをいう。また、ＯＫボタン２４は、ユーザにより選択されたジョブファイルを読み出すためのボタンである。
【００４４】
また、ファイル表示領域２３は、ジョブファイルの中からユーザの所望するファイルを選択するための表示領域に該当する。
例えば、ファイル表示領域２３に表示されたジョブファイルの中からユーザの所望するジョブファイル（ユーザが読み出したいと所望するジョブファイル）の選択操作が操作部４を介して受け付けられたとする。具体的には、ファイル表示領域２３に表示されているファイルの中からユーザの所望するファイルに対応するファイルボタン「００１２  ＪＯＢ＿ＧＵＩ＿ｍｏｄｅｌ．ｄ」（図２中のＡに示すファイルボタン）が押下された後、ＯＫボタン２４が押下されたとする。この場合、ジョブファイル「００１２ＪＯＢ＿ＧＵＩ＿ｍｏｄｅｌ．ｄ」が記憶部５５から読み出され、当該読み出されたジョブファイル「００１２  ＪＯＢ＿ＧＵＩ＿ｍｏｄｅｌ．ｄ」に含まれる設定情報に基づいて、ジョブが実行される。すなわち、ユーザは、ファイル表示領域２３を参照し、所望するジョブファイルを選択することができる。
ここで、例えば、ジョブファイル「００１２ＪＯＢ＿ＧＵＩ＿ｍｏｄｅｌ．ｄ」にプリントコントローラ５３から受信された画像データをＡ４の用紙に画像形成を行う設定情報が含まれていたとする。この場合、記憶部５５からジョブファイル「００１２ＪＯＢ＿ＧＵＩ＿ｍｏｄｅｌ．ｄ」が読み出され、設定情報に基づいて、Ａ４の用紙に画像形成を行うプリントジョブが実行される。
【００４５】
また、表示画面２１のフォルダ表示領域２２に表示されるフォルダ及びファイル表示領域２３に表示されるジョブファイルは、同一階層に存在する。このとき、ファイル表示領域２３に表示されるジョブファイルは、フォルダ表示領域２２に表示されるフォルダと連係していない。すなわち、フォルダ表示領域２２に表示されるフォルダと、ファイル表示領域２３に表示されるファイルとは、全く関連性がない。例えば、フォルダ表示領域２２の一番上に表示されているフォルダ（図２中のＢに示すフォルダ）「００１２ＪＯＢ＿ＧＵＩ＿ｍｏｄｅｌ．ｄ」がプリントジョブに関するフォルダであるとする。このとき、ファイル表示領域２３には、フォルダ「００１２ＪＯＢ＿ＧＵＩ＿ｍｏｄｅｌ．ｄ」のプリントジョブと全く関連性のないジョブ（例えば、プリントジョブ等）のジョブファイルが表示される。
【００４６】
また、フォルダ表示領域２２に表示されるフォルダ及びファイル表示領域２３に表示されるジョブファイルは、作成された時系列に並べて表示される。
例えば、図２の場合、フォルダ表示領域２２の一番上に表示されているフォルダ（図２中のＢに示すフォルダ）「００１２ＪＯＢ＿ＧＵＩ＿ｍｏｄｅｌ．ｄ」が最近作成されたフォルダに該当する。そして、作成された日時順にフォルダが上から下へ表示される。これは、ファイル表示領域２３に表示されるジョブファイルの場合も同様である。例えば、図２の場合、ファイル表示領域２３の一番上に表示されているジョブファイル（図２中のＡに示すファイル）「００１２ＪＯＢ＿ＧＵＩ＿ｍｏｄｅｌ．ｄ」が最近作成されたファイルに該当する。そして、作成された時系列に上から下へジョブファイルが表示される。
【００４７】
次いで、図３を参照して、表示部４１に表示される表示画面３１の一例について説明する。表示画面３１は、フォルダ表示領域２２に表示する個数が８個の場合における画面である。例えば、フォルダ表示領域２２に表示するフォルダの個数を８個とするユーザからの設定操作が操作部４により受け付けられたとする。この場合、図３に示すように、表示画面３１のフォルダ表示領域２２には、フォルダが８個表示される。これにより、ユーザの所望する数にフォルダ表示領域２２に表示するフォルダの数を設定操作することができる。なお、本実施の形態では、フォルダ表示領域２２に表示する個数を設定するユーザは、数名のユーザ（例えば、画像形成装置１０の管理者やサービスマン）であるものとする。
【００４８】
次いで、図４を参照して、画像形成装置１０の動作を説明する。図４に表示処理の流れを示す。表示処理は、フォルダ表示領域２２をページめくり表示する処理である。
【００４９】
例えば、画像形成装置１０において、例えば、図５に示す表示画面５０において、ユーザにより操作部４を介して読み出しボタン５０Ａが押下されたこと等をトリガとして、ＲＯＭから読み出されて適宜ＲＡＭに展開された表示プログラムと、ＣＰＵとの協働により表示処理が実行される。  
【００５０】
予め、ユーザにより操作部４を介してフォルダ表示領域２２に表示するフォルダの個数が設定されているものとする。また、予めフォルダ・ファイル生成プログラムによりフォルダ又はジョブファイルが生成され、当該生成されたフォルダ又はジョブファイルが記憶部５５に記憶されているものとする。
【００５１】
先ず、フォルダ／ジョブファイル以外の背景部が描画される（ステップＳ１１）。例えば、図２に示す表示画面２１において、フォルダ表示領域２２及びファイル表示領域２３以外の表示部分が描画される。そして、作成済みのフォルダ数が確認される（ステップＳ１２）。具体的には、記憶部５５に記憶されているフォルダ数が参照され、生成（作成）済みのフォルダ数が確認される。
【００５２】
ステップＳ１２の実行後、フォルダが表示可能個数を越えているか否かが判別される（ステップＳ１３）。具体的には、ユーザにより予め設定入力されたフォルダ表示領域２２に表示するフォルダの個数と、記憶部５５に記憶されているフォルダの個数とを参照して、記憶部５５に記憶されているフォルダの個数が予め設定入力されたフォルダの個数を超えているか否かが判別される。
【００５３】
ステップＳ１３において、フォルダが表示可能個数を超えていると判別された場合（ステップＳ１３；ＹＥＳ）、フォルダ表示領域２２が専用表示され、ＵＰボタン２２Ａ及びＤＯＷＮボタン２２Ｂが表示される（ステップＳ１４）。具体的には、先ず、設定されたフォルダの個数に基づいて、フォルダ表示領域２２の領域が計算される。そして、計算されたフォルダ表示領域２２がページめくり表示され、且つ、フォルダ表示領域２２にＵＰボタン２２Ａ及びＤＯＷＮボタン２２Ｂが表示される。
【００５４】
ステップＳ１４の実行後、フォルダが先頭から表示可能数まで順次表示される（ステップＳ１５）。例えば、表示可能数（予め設定入力されたフォルダ表示領域２２に表示するフォルダの個数）が８個の場合、８個のフォルダがフォルダ表示領域２２に順次表示される（図３参照）。
【００５５】
ステップＳ１５の実行後、ジョブファイルがフォルダの末尾から順次表示される（ステップＳ１６）。具体的には、設定されたフォルダの個数に基づいて、ファイル表示領域２３に表示可能なジョブファイルの個数が計算される。そして、計算された個数分のジョブファイルがファイル表示領域２３に順次表示される。例えば、表示画面２１又は表示画面３１に示すように、フォルダの末尾からジョブファイルが順次表示される。ステップＳ１５の実行後、表示処理は終了される。
【００５６】
ステップＳ１３において、フォルダが表示可能個数を超えていないと判別された場合（ステップＳ１３；ＮＯ）、フォルダが先頭から表示される（ステップＳ１７）。そして、ジョブファイルがフォルダの末尾から順次表示される（ステップＳ１８）。具体的には、ファイル及びフォルダは、フォルダ表示領域２２及びファイル表示領域２３に区分けされずに表示される。例えば、表示画面２１において、ファイル及びフォルダは区分けされず連続した状態（すなわち、フォルダが上から順に表示され、フォルダの後にファイルが表示された状態）で表示される。また、この場合、フォルダ及びファイルを含めたページめくり表示が行われる。ステップＳ１８の実行後、表示処理は終了される。
【００５７】
以上、本実施の形態によれば、ジョブファイル及びフォルダを表示部４１に表示する際、フォルダ表示領域２２とファイル表示領域２３とに区分けし、フォルダが所定の個数以上存在する場合に、フォルダ表示領域２２をページめくり表示する。これにより、所定個数以上のフォルダは表示部４１に表示されないので、表示部４１のファイル表示領域２３を確保できる。すなわち、ユーザが読み出したいファイルをファイル表示領域２３に表示させることができるので、ユーザは、読み出したいファイルを即時に読み出すことができる。
【００５８】
また、ユーザは、フォルダ表示領域２２を参照することにより、フォルダの下層に存在する所望のジョブファイル（読み出したいジョブファイル）を選択することができる。また、ユーザは、ファイル表示領域２３を参照して、所望のジョブファイルを選択することができる。
【００５９】
また、フォルダを作成された時系列に並べてフォルダ表示領域２２に表示し、ジョブファイルを作成された時系列に並べてファイル表示領域２３に表示することができる。
【００６０】
また、フォルダ表示領域２２に表示するフォルダの個数の設定操作が操作部４により受け付けられた場合、当該受け付けられた個数のフォルダをフォルダ表示領域２２に表示する。これにより、ユーザは、フォルダの表示領域２２に表示するフォルダの個数を所望の個数に設定することができる。
【００６１】
また、操作部４により受け付けられたジョブファイルを読み出してジョブを実行する。これにより、ユーザの所望するジョブファイルを即時に読み出し、当該読み出されたジョブファイルに基づいて、ジョブを実行することができる。
【００６２】
なお、上記実施の形態における記述は、本発明に係る画像形成装置１０の一例であり、これに限定されるものではない。
【００６３】
例えば、上記実施の形態では、表示画面２１又は表示画面３１において、フォルダ表示領域２２に表示されているフォルダの中からユーザの所望するフォルダが選択された場合、選択されたフォルダに格納されているジョブファイルが表示される構成としたがこれに限定されるものではない。例えば、フォルダ表示領域２２に表示されているフォルダの中からユーザの所望するフォルダが選択された場合、フォルダ表示領域２２及びファイル表示領域２３を含んだ画面（すなわち、表示画面２１又は表示画面３１）が表示されることとしてもよい。
【００６４】
その他、上記実施の形態における画像形成装置１０の細部構成及び詳細動作に関しても、本発明の趣旨を逸脱しない範囲で適宜変更可能である。
【図面の簡単な説明】
【００６５】
【図１】本発明に係る画像形成装置の構成の一例を示すブロック図である。
【図２】フォルダを表示するフォルダ表示領域をページめくり表示する画面を示す図である。
【図３】フォルダ表示領域に表示するフォルダの個数が８個の場合における表示画面を示す図である。
【図４】表示処理の流れを示すフローチャートである。
【図５】ジョブファイルを読み出すための初期画面の一例を示す図である。
【図６】読み出しボタンが押下された場合に表示される画面を示す図である。
【図７】表示するフォルダ数が多数ある場合の表示画面を示す図である。
【符号の説明】
【００６６】
１     スキャナ部
２     プリント部
３     ＦＮＳ部
４     操作部
５     本体制御部
１０   画像形成装置
２２   フォルダ表示領域
２３   ファイル表示領域
４１   表示部
５１   読取処理部
５２   書込処理部
５３   プリントコントローラ部
５４   制御部
５５   記憶部
【図１】
2009169454.tif 000003
【図２】
2009169454.tif 000004
【図３】
2009169454.tif 000005
【図４】
2009169454.tif 000006
【図５】
2009169454.tif 000007
【図６】
2009169454.tif 000008
【図７】
2009169454.tif 000009